(57)【要約】【課題】音声出力装置の音声出力機能を携帯型情報端末によって補完する。【解決手段】携帯型情報端末（１００）は、音声出力装置（２００）の出力音を表す第１の音声信号（＃５）と、マイク（１０４）の検出音を表す第２の音声信号（＃７）とに基づいて、上記出力音の音量に対する上記検出音に含まれる上記出力音の音量比を推定し、推定された上記音量比に基づいて、スピーカ（１０９）から出力する上記第１の音声信号が表す音声の音量を選択する。【選択図】図１
2015082740.tif 000002
【特許請求の範囲】
【請求項１】
音声出力装置と連携して動作する携帯型情報端末であって、
上記音声出力装置が出力する出力音を表す第１の音声信号を上記音声出力装置から取得する取得手段と、
上記第１の音声信号と、当該携帯型情報端末に内蔵又は接続されたマイクが検出した検出音を表す第２の音声信号とに基づいて、上記音声出力装置が出力する上記出力音の音量に対する、上記検出音に含まれる上記出力音の音量の比である音量比を推定する推定手段と、
上記推定手段により推定された音量比に基づいて、当該携帯型情報端末に内蔵又は接続されたスピーカから出力する上記第１の音声信号が表す音声の音量を選択する選択手段と、を備えている、
ことを特徴とする携帯型情報端末。
【請求項２】
上記取得手段は、上記音声出力装置から上記第１の音声信号を含む電磁波を受信することにより上記第１の音声信号を取得するとともに、受信した電磁波の強度を示す電波受信レベルを決定し、
上記選択手段は、上記推定手段により推定された音量比に加えて、上記取得手段により決定された電波受信レベルを参照することにより、上記スピーカから出力する上記第１の音声信号が表す音声の音量を選択する、
ことを特徴とする請求項１に記載の携帯型情報端末。
【請求項３】
上記取得手段は、上記第１の音声信号に加えて、上記音声出力装置における音量設定値を取得するものであり、
上記推定手段は、
上記第１の音声信号が表す音声の音量を、上記音量設定値に基づいて修正する音量修正手段と、
上記第２の音声信号を遅延させることによって、上記第１の音声信号の上記第２の音声信号に対する遅延を解消するディレイ修正手段と、
上記第２の音声信号に含まれるノイズを除去するノイズ除去手段と、
音量レベルを修正された第１の音声信号の音量と、ディレイ修正及びノイズ除去された第２の音声信号の音量との比を算出する算出手段と、とを備えている、
ことを特徴とする請求項１又は２に記載の携帯型情報端末。
【請求項４】
上記選択手段は、音量比の値と電波受信レベルの値とからなる対の各々に特定の状態値を対応付けた状態推定テーブルを参照し、上記推定手段により推定された音量比と上記取得手段により決定された電波受信レベルとからなる対に対応する状態値を特定すると共に、上記スピーカから出力する上記第１の音声信号が表す音声の音量として、推定した状態値に応じた音量を選択する、ことを特徴とする請求項２または３に記載の携帯型情報端末。
【請求項５】
音声出力装置と連携して動作する携帯型情報端末の制御方法であって、
上記音声出力装置が出力する出力音を表す第１の音声信号を上記音声出力装置から取得する取得ステップと、
上記第１の音声信号と、当該携帯型情報端末に内蔵又は接続されたマイクが検出した検出音を表す第２の音声信号とに基づいて、上記音声出力装置が出力する上記出力音の音量に対する、上記検出音に含まれる上記出力音の音量の比である音量比を推定する推定ステップと、
上記推定ステップにて推定された音量比に基づいて、当該携帯型情報端末に内蔵又は接続されたスピーカから出力する上記第１の音声信号が表す音声の音量を選択する選択ステップと、を含んでいる、ことを特徴とする携帯型情報端末の制御方法。
【発明の詳細な説明】
【技術分野】
【０００１】
本発明は音声出力装置と連携して動作する携帯型情報端末、及び、その制御方法に関する。
【背景技術】
【０００２】
スマートフォンなどの携帯型情報端末が広く普及しており、その機能も多様化している。例えば、特許文献１には、パラメトリックスピーカを搭載し、特定の利用者のみに十分な音量の音声を提供する携帯電話機が開示されている。
【０００３】
また、テレビジョン受像機（以下、「ＴＶ」と略記する）と連携して動作する携帯型情報端末も知られている。例えば、特許文献２には、テレビジョン受像機（以下、「ＴＶ」と略記）から設定通信距離以上離れると、ＴＶにて再生していたコンテンツの続きを再生する携帯電話機が開示されている。
【先行技術文献】
【特許文献】
【０００４】
【特許文献１】特開２０１２−２９１０２号公報（２０１２年２月９日公開）
【特許文献２】特開２００５−１７５８６２号公報（２００５年６月３０日公開）
【発明の概要】
【発明が解決しようとする課題】
【０００５】
高解像度の大画面ＴＶは、近くで見ることも遠くで見ることも可能であり、映像のサービスエリアが広い。ところが、近くで見ている視聴者に合わせてＴＶの音量を設定すると、遠くで見ているユーザにとっては音量が小さ過ぎ、逆に、遠くで見ている視聴者に合わせて音量を設定すると、近くで見ている視聴者にとって音量が大き過ぎてしまう。すなわち、映像のサービスエリア内にいる全ての視聴者に対して、丁度良い音量の音声を提供することができない、という問題がある。
【０００６】
本発明は、上記の問題に鑑みてなされたものであり、その目的は、ＴＶ等の音声出力装置の音声出力機能を補完する携帯型情報端末を実現することにある。
【０００７】
なお、特許文献２に記載の技術は、この問題の解決に資するものではない。なぜなら、特許文献２に記載の携帯電話機は、無線のサービスエリア（映像のサービスエリアよりも広い）外に出たときに、ＴＶで再生されるコンテンツと同じコンテンツを再生するものに過ぎないからである。
【課題を解決するための手段】
【０００８】
上記の課題を解決するために、本発明の一態様に係る携帯型情報端末は、音声出力装置と連携して動作する携帯型情報端末であって、上記音声出力装置が出力する出力音を表す第１の音声信号を上記音声出力装置から取得する取得手段と、上記第１の音声信号と、当該携帯型情報端末に内蔵又は接続されたマイクが検出した検出音を表す第２の音声信号とに基づいて、上記音声出力装置が出力する上記出力音の音量に対する、上記検出音に含まれる上記出力音の音量の比である音量比を推定する推定手段と、上記推定手段により推定された音量比に基づいて、当該携帯型情報端末に内蔵又は接続されたスピーカから出力する上記第１の音声信号が表す音声の音量を選択する選択手段と、を備えている、ことを特徴としている。
【０００９】
また、上記の課題を解決するために、本発明の一態様に係る携帯型情報端末の制御方法は、音声出力装置と連携して動作する携帯型情報端末の制御方法であって、上記音声出力装置が出力する出力音を表す第１の音声信号を上記音声出力装置から取得する取得ステップと、上記第１の音声信号と、当該携帯型情報端末に内蔵又は接続されたマイクが検出した検出音を表す第２の音声信号とに基づいて、上記音声出力装置が出力する上記出力音の音量に対する、上記検出音に含まれる上記出力音の音量の比である音量比を推定する推定ステップと、上記推定ステップにて推定された音量比に基づいて、当該携帯型情報端末に内蔵又は接続されたスピーカから出力する上記第１の音声信号が表す音声の音量を選択する選択ステップと、を含んでいる、ことを特徴としている。
【００１０】
なお、上記選択手段による選択の対象となる音量は、２段階であってもよいし、３段階以上であってもよい。また、上記選択手段による選択の対象となる音量には、０（何ら音声を出力しない状態）が含まれていてもよいし、０が含まれていなくてもよい。例えば、上記選択手段による選択の対象となる音量が２段階であり、上記選択手段による選択の対象となる音量に０が含まれている場合、上記選択手段は、上記推定手段により推定された音量比に基づいて、上記第１の音声信号が表す音声を当該携帯型情報端末に内蔵又は接続されたスピーカから出力する否かを選択することになる。
【発明の効果】
【００１１】
本発明の一態様によれば、音声出力装置の音声出力機能を携帯型情報端末によって補完することができる。特に、音声出力装置が出力した音声と同じ音声を携帯型情報端末から出力する際の音量を、上記音量比に基づいて選択する構成を採用しているので、音声出力装置の近傍にいるユーザに提供される音声の音量が過大になるといった事態を招来することなく、音声出力装置の遠方にいるユーザに提供される音声を丁度良い音量にすることができる。
【図面の簡単な説明】
【００１２】
【図１】本発明の一実施形態に係る携帯型情報端末と、該携帯型情報端末と連携して動作する音声出力装置の構成を示す機能ブロック図である。
【図２】図１に示す携帯型情報端末が参照する状態推定テーブルの一例を示す図である。
【図３】図１に示す携帯型情報端末において、聴感レベルを推定する処理の具体例について説明するための図である。（ａ）は、音声出力装置が出力する出力音の波形図、携帯型情報端末が音声出力装置から取得する第１の音声信号が表す音声の波形図、及び携帯型情報端末のマイクが検出した検出音の波形図である。。（ｂ）は、携帯型情報端末の備える推定部の構成を示す機能ブロック図である。
【図４】図１に示す携帯型情報端末の動作例を示す概念図である。
【図５】図１に示す携帯型情報端末が行う処理の流れを説明するためのフローチャートである。
【図６】図１に示す携帯型情報端末が、図２に示す状態推定テーブルを更新する処理の一例について説明するための図である。（ａ）は、携帯型情報端末が状態推定テーブルを更新する処理の流れを説明するためのフローチャートである。（ｂ）は、（ａ）に示した処理により更新された状態推定テーブルを示している。
【図７】図１に示す携帯型情報端末が、図２に示す状態推定テーブルを更新する処理の他の一例について説明するための図である。（ａ）は、携帯型情報端末が状態推定テーブルを更新する処理の流れを説明するためのフローチャートである。（ｂ）は、図７の（ａ）に示した処理により更新された状態推定テーブルを示している。
【発明を実施するための形態】
【００１３】
〔実施形態１〕
以下、本発明の実施の形態について、図面を参照しながら詳細に説明する。
【００１４】
（携帯型情報端末及び音声出力装置の構成）
本実施形態に係る携帯型情報端末１００及び、音声出力装置２００の構成について、図１を参照しながら説明する。図１は、携帯型情報端末１００及び音声出力装置２００の各部の構成を示す機能ブロック図である。
【００１５】
携帯型情報端末１００は、無線通信のために予めペアリングされた音声出力装置２００と連携して動作する。より具体的に言うと、携帯型情報端末１００は、音声出力装置２００が出力する音声と同一の音声を出力する。これにより、携帯型情報端末１００を保持したユーザは、音声出力装置２００から離れた場所にいても、携帯型情報端末１００から出力されている音声を聴くことによって、音声出力装置２００から出力されている音声を知ることができる。
【００１６】
なお、本実施形態においては、携帯型情報端末１００として、スマートフォンを用いており、音声出力装置２００として、テレビジョン受像機（ＴＶとも呼称する。）を用いている場合について説明するが、これは本発明を限定するものではない。例えば、携帯型情報端末１００として、スマートフォンを用いる代わりに、音声出力装置２００と連携して動作することが可能な、携帯電話、ノートパソコン、またはタブレット端末などを用いてもよい。また、音声出力装置２００として、ＴＶを用いる代わりに、携帯型情報端末１００と連携して動作することが可能なラジオ、または音楽プレーヤなどを用いてもよい。また、本実施形態においては、携帯型情報端末１００と音声出力装置２００とがＷｉ−Ｆｉ（登録商標）により通信するものとするが、本発明はこれに限定されない。Ｂｌｕｅｔｏｏｔｈ（登録商標）など、他の伝送方式に従う無線通信を採用してもよい。
【００１７】
図１に示すように、携帯型情報端末１００は、アンテナ１０１、通信部１０２、音声デコード部１０３、マイク１０４、変換部１０５、メモリ１０６、選択部１０７、音声出力部１０８、スピーカ１０９、操作受付部１１０、更新部１１１、及び推定部１２０を備えている。携帯型情報端末１００の各部の機能を説明すれば、以下の通りである。
【００１８】
アンテナ１０１は、電磁波を電気信号に変換するための手段である。本実施形態において、アンテナ１０１は、音声出力装置２００から送信された電磁波を電気信号（以下、「受信信号＃１」とも記載）に変換する。アンテナ１０１により生成された受信信号＃１は、通信部１０２に供給される。
【００１９】
通信部１０２は、アンテナ１０１から供給された受信信号＃１から第１の音声データ＃２及び音量設定情報＃３を復調する。第１の音声データ＃２は、音声出力装置２００が出力する出力音を表す、符号化された音声データである。また、音量設定情報＃３は、音声出力装置２００が出力する出力音の音量設定（ゲイン）を表す情報である。復調された第１の音声データ＃２は、音声デコード部１０３に供給される。また、復調された音量設定情報＃３は、推定部１２０に供給される。
【００２０】
また、通信部１０２は、電波の受信状態を示す指標である電波受信レベル＃４を、アンテナ１０１が受信した電磁波に基づいて決定する手段としても機能する。決定された電波受信レベル＃４は、選択部１０７に通知される。なお、電波受信レベル＃４は、例えば、受信した電波の電波強度、または受信信号＃１に含まれる受信データの誤り率などによって決定することができる。通信部１０２は、受信した電波の電波強度が強い場合、または受信データの誤り率が低い場合には、電波の受信状態は良好であると判断し、受信した電波の電波強度が弱い場合、または受信データの誤り率が高い場合には、電波の受信状態は良好ではないと判断する。本実施形態においては、電波受信レベル＃４として、Ａ〜Ｅの５段階に分類した指標を用いており、電波受信レベルＡは、電波の受信状態が最も良好であることを示している。
【００２１】
音声デコード部１０３は、第１の音声データ＃２から第１の音声信号＃５を復号するための手段である。本実施形態において、音声デコード部１０３は、通信部１０２より供給された第１の音声データ＃２から第１の音声信号＃５を復号する。復号された第１の音声信号＃５は、音声出力部１０８及び推定部１２０に供給される。なお、本実施形態において、音声デコード部１０３により復号される第１の音声信号＃５は、デジタル信号である。
【００２２】
以上のように、アンテナ１０１及び通信部１０２は、第１の音声データ＃２を音声出力装置２００から取得し、音声デコード部１０３は、第１の音声データ＃２から第１の音声信号＃５を復号する。すなわち、アンテナ１０１、通信部１０２、及び音声デコード部１０３は、音声出力装置が出力する出力音を表す第１の音声信号を上記音声出力装置から取得するための取得手段として機能する。
【００２３】
マイク１０４は、携帯型情報端末１００の周辺の音声を検出するための手段である。マイク１０４により検出された音声（以下、「検出音」とも記載）を表すアナログ信号＃６は、変換部１０５に供給される。なお、本実施形態において、マイク１０４は、携帯型情報端末１００に内蔵されている。マイク１０４が携帯型情報端末１００に内蔵されていることにより、マイク１０４が検出する検出音は、携帯型情報端末１００の周辺の音声であることが保証される。ただし、マイク１０４は、短いケーブル等によって携帯型情報端末１００に接続されたもの（例えば、イヤホンマイクなど）であっても構わない。
【００２４】
変換部１０５は、マイク１０４から供給されたアナログ信号をデジタル信号に変換するための手段である。本実施形態において、変換部１０５は、マイク１０４が検出した検出音を表すアナログ信号＃６をデジタル信号に変換することにより、第２の音声信号＃７を生成する。生成された第２の音声信号＃７は、推定部１２０に供給される。
【００２５】
推定部１２０は、音声出力装置２００が出力する出力音を表す第１の音声信号＃５と、音声出力装置２００の音量設定情報＃３と、マイク１０４が検出した検出音を表す第２の音声信号＃７とに基づいて、該検出音に含まれる出力音の聴感レベルを推定するための手段（推定手段）である。本実施形態においては、推定部１２０は、音声デコード部１０３から供給された第１の音声信号＃５と、通信部１０２から供給された音量設定情報＃３と、変換部１０５から供給された第２の音声信号＃７とに基づいて、マイク１０４が検出した検出音に含まれる出力音の聴感レベル＃８を推定する。推定部１２０により推定された聴感レベル＃８は、選択部１０７に通知される。
【００２６】
ここで、「聴感レベル」とは、音声出力装置２００が出力する出力音の音量（音圧レベル）に対する、マイク１０４が検出した検出音に含まれる出力音の音量（音圧レベル）の比を表す指標である。本実施形態においては、聴感レベルとして、Ａ〜Ｅの５段階に分類した指標を用いており、聴感レベルＡは、聴感レベルが最も高いことを示している。なお、推定部１２０の動作の詳細については、参照する図面を代えて後述する。
【００２７】
選択部１０７は、推定部１２０により推定された聴感レベル＃８と、通信部１０２から通知された電波受信レベル＃４とに基づいて、第１の音声信号＃５が表す音声を携帯型情報端末１００に内蔵されたスピーカ１０９から出力する際の音量を選択するための手段（選択手段）である。本実施形態において、選択部１０７は、（１）聴感レベル＃８と電波受信レベル＃４とに基づいて、第１の音声信号＃５が表す音声を出力するか否かを選択すると共に、（２）当該音声を出力する際の音量を決定するために参照される出力音量値＃１１を決定する。
【００２８】
第１の音声信号＃５が表す音声を出力するか否かの選択は、例えば、以下のように実行される。すなわち、選択部１０７は、まず、メモリ１０６に格納されている状態推定テーブルを参照することにより携帯型情報端末１００の状態を示す状態値＃９を推定する。ここで、状態推定テーブルとは、電波受信レベルの値Ａ〜Ｅと聴感レベルの値Ａ〜Ｅとからなる対の各々に特定の状態値を対応付けたテーブルである。また、メモリ１０６には、予め定められた閾値が格納されており、選択部１０７は、推定された状態値＃９と当該閾値とを比較する。そして、選択部１０７は、推定された状態値＃９が、予め定められた閾値以上である場合に、第１の音声信号＃５が表す音声を、スピーカ１０９から出力することを選択する。選択部１０７は、第１の音声信号＃５が表す音声をスピーカ１０９から出力することを選択した場合に、音声出力部１０８に対して、第１の音声データが表す音声をスピーカ１０９から出力することを示す出力指示＃１０を送信する。
【００２９】
また、出力音量値の決定は、例えば、以下のように実行される。すなわち、選択部１０７は、表１に示すような出力音量値テーブルを参照することによって、出力音量値＃１１を決定する。ここで、出力音量値テーブルとは、上述した状態値と出力音量値とを対応付けたテーブルであり、メモリ１０６に格納されている。選択部１０７は、メモリ１０６に格納されている出力音量値テーブルを参照することによって決定した、状態値に対応する出力音量値＃１１を音声出力部１０８に送信する。
【００３０】
【表１】
2015082740.tif 000003
なお、表１に示す出力音量値テーブルは、メモリ１０６に格納されている予め定められた閾値が「４」である場合の出力音量値テーブルを示しているが、これは本発明を限定するものではなく、予め定められた閾値が「３」、または「５」である場合に、選択部１０７は、表１に示した出力音量値テーブルとは異なる出力音量値テーブルをそれぞれ参照する構成としてもよい。また、後述する更新部１１１が予め定められた閾値を更新した場合には、更新部１１１は、閾値の更新に応じてメモリ１０６に格納されている出力音量値テーブルを更新するように構成してもよい。
【００３１】
音声出力部１０８は、選択部１０７から受信した指示に基づいて、音声デコード部１０３から供給された第１の音声信号をスピーカ１０９から出力させるための手段である。本実施形態において、音声出力部１０８は、スピーカ１０９から出力することを示す出力指示＃１０を選択部１０７から受信すると、音声デコード部１０３から供給された第１の音声信号＃５をスピーカ１０９に入力する。この際、音声出力部１０８は、スピーカ１０９から出力する音声の音量を、第１の音声信号＃５と共に音声出力装置２００から取得した音声出力装置２００の音量設定値Ｖ２、及び、選択部１０７から取得した出力音量値＃１１を参照して決定する。具体的には、音声出力装置２００から取得した音量設定値Ｖ２に、選択部１０７から取得した出力音量値＃１１を加算したものを、スピーカ１０９から出力する音声の音量に設定する。なお、後述する操作受付部１１０から携帯型情報端末１００の音量設定値Ｖ１の変更を示す変更指示＃１３を受信した場合に、音声出力部１０８は、当該変更指示＃１３に基づいて、音声デコード部１０３から供給された第１の音声信号＃５の音量を変更する。
【００３２】
スピーカ１０９は、入力される音声信号を物理的な振動に変換することにより、音声信号の示す音声を出力するための手段である。本実施形態においては、スピーカ１０９は、音声出力部１０８から入力される第１の音声信号＃５に基づいて、当該スピーカ１０９の備える振動板を振動させることにより、第１の音声信号＃５が表す音声を出力する。
【００３３】
操作受付部１１０は、ユーザによる操作を受け付けるための手段である。本実施形態において、操作受付部１１０は、ユーザによる音量設定値Ｖ１の変更を指示する操作＃１２を受け付ける。操作受付部１１０は、音量設定値Ｖ１の変更を示す操作＃１２を受け付けると、音量設定値Ｖ１の変更を示す変更指示＃１３を音声出力部１０８及び更新部１１１に送信する。なお、操作受付部１１０が受け付ける操作＃１２としては、例えば、携帯型情報端末１００の備える物理的なボタンを押下する操作であってもよいし、タッチパネル上に表示されたボタンにタッチする操作であってもよい。
【００３４】
更新部１１１は、音量設定値Ｖ１を変更することを指示するユーザ操作に応えて、メモリ１０６に格納されている状態推定テーブルにおける状態値、または閾値の少なくとも何れかを更新するための手段（更新手段）である。本実施形態において、更新部１１１は、操作受付部１１０から受信した変更指示＃１３に基づいて、メモリ１０６に格納されている状態推定テーブルにおける状態値の更新を指示する更新指示＃１４を送信する。ただし、本発明はこれに限定されない。すなわち、更新部１１１は、メモリ１０６に格納されている状態推定テーブルにおける状態値、または閾値の少なくとも何れかを更新するものであればよい。なお、更新部１１１が行う処理の詳細については、参照する図面を代えて後述する。
【００３５】
続いて、本実施形態に係る携帯型情報端末１００と連携して動作する音声出力装置２００について説明する。なお、上述したように、本実施形態においては、音声出力装置２００として、ＴＶを用いている。また、音声出力装置２００と、携帯型情報端末１００とは互いに連携して動作するために、予めペアリングされている。また、音声出力装置２００は、当該音声出力装置２００が出力する出力音を表す第１の音声データ＃２を携帯型情報端末１００に送信する機能を備えている。
【００３６】
図１に示すように、音声出力装置２００は、アンテナ２０１、チューナ部２０２、外部入力部２０３、音声符号化部２０４、音声出力部２０５、スピーカ２０６、通信部２０７、アンテナ２０８、メモリ２０９、及び操作受付部２１０を備えている。音声出力装置２００の各部の機能を説明すれば、以下の通りである。なお、音声出力装置２００は、アンテナ２０１が受信した放送信号に含まれる音声信号、または外部入力部２０３が取得した音声信号の何れかに基づいて音声を出力する装置である。
【００３７】
アンテナ２０１は、放送信号を受信するための手段である。本実施形態において、アンテナ２０１は、衛星、地上波などを通じて伝送される放送信号＃１５を受信する。受信した放送信号＃１５は、チューナ部２０２に供給される。
【００３８】
チューナ部２０２は、アンテナ２０１から供給された放送信号＃１５から、第１の音声信号＃５を抽出する。抽出された第１の音声信号＃５は音声符号化部２０４、及び音声出力部２０５に供給される。
【００３９】
外部入力部２０３は、ＨＤＤ、ＳＤカード等の固体メモリ、ＢＤ（ブルーレイディスク）、ＤＶＤ、ＣＤ等のディスク装置等、種々の外部機器（記録媒体）が接続可能に構成されている。外部入力部２０３は、これらの外部機器から入力信号＃１６を取得する。外部入力部２０３は、取得した入力信号＃１６から、第１の音声信号＃５を抽出する。抽出された第１の音声信号＃５は、音声符号化部２０４、及び音声出力部２０５に供給される。
【００４０】
音声符号化部２０４は、チューナ部２０２、または外部入力部２０３から供給された第１の音声信号＃５を符号化することにより、第１の音声データ＃２を生成する。生成された第１の音声データ＃２は、通信部２０７に供給される。
【００４１】
音声出力部２０５は、チューナ部２０２、または外部入力部２０３から供給された第１の音声信号＃５をスピーカ２０６に入力する。また、後述する操作受付部２１０から、音量設定値Ｖ２の変更を示す変更指示＃１９を受信した場合には、当該変更指示＃１９に基づいて、第１の音声信号＃５の音量を変更する。音量を変更された第１の音声信号＃５は、スピーカ２０６に入力される。
【００４２】
スピーカ２０６は、音声出力部２０５から入力される第１の音声信号＃５に基づいて、当該スピーカ２０６の備える振動板を振動させることにより、第１の音声信号＃５が表す音声を出力する。
【００４３】
通信部２０７は、アンテナ２０８を介して送信する送信信号＃１７を生成するための手段である。本実施形態においては、通信部２０７は、音声出力装置２００が出力する出力音を表す第１の音声データ＃２を含む送信信号＃１７を生成する。また、通信部２０７が生成する送信信号＃１７には、音声出力装置２００の音量設定情報＃３が含まれている。音量設定情報＃３は、メモリ２０９に格納されている。通信部２０７は、メモリ２０９を参照することにより、音量設定情報＃３が含まれる送信信号＃１７を生成する。通信部２０７により生成された送信信号＃１７は、アンテナ２０８に供給される。
【００４４】
アンテナ２０８は、電気信号を電磁波に変換するための手段である。本実施形態において、アンテナ２０８は、通信部２０７から供給された送信信号＃１７を電磁波に変換する。
【００４５】
操作受付部２１０は、ユーザによる操作を受け付けるための手段である。本実施形態においては、操作受付部２１０は、ユーザによる音量設定値Ｖ２の変更を指示する操作＃１８を受け付ける。操作受付部２１０は、音量設定値Ｖ２の変更を指示する操作＃１８を受け付けると、音量設定値Ｖ２の変更を示す変更指示＃１９を音声出力部２０５に送信する。なお、本実施形態において、操作受付部２１０が受け付ける操作としては、例えば、音声出力装置２００の備える物理的なボタンを押下する操作であってもよいし、タッチパネル上に表示されたボタンにタッチする操作であってもよい。
【００４６】
以上、本実施形態に係る携帯型情報端末１００、及び音声出力装置２００の構成について説明した。上記の構成により、携帯型情報端末１００と、音声出力装置２００は、互いに連携して動作することができる。
【００４７】
なお、図１においては、音声出力装置２００において符号化される第１の音声信号と、携帯型情報端末１００において復号される第１の音声信号とに共通の符号＃５を付している。これは、音声出力装置２００において符号化される第１の音声信号と、携帯型情報端末１００において復号される第１の音声信号とが、符号化／復号化の過程で生じるビット誤りなどを無視すれば同一の音声を表すからである。第１の音声データに付された符号＃２、及び、音量設定情報に付された符号＃３についても、同様である。
【００４８】
（状態推定テーブルの一例）
ここで、状態推定テーブルの一例について、図２を参照しながら説明する。図２は、本実施形態に係る携帯型情報端末１００が参照する状態推定テーブルの一例を示す図である。図２に示すように、状態推定テーブルは、電波受信レベルの値Ａ〜Ｅと聴感レベルの値Ａ〜Ｅとからなる対の各々に特定の状態値を対応付けたテーブルである。本実施形態においては、状態値として１〜９の９段階に分類した指標を用いている。以下では、電波受信レベルが「Ｘ」であり、聴感レベルが「Ｙ」である場合の状態を、状態（Ｘ、Ｙ）と表現する。例えば、本実施形態においては、状態（Ａ、Ａ）を示す状態値は「１」であり、状態（Ｅ、Ｅ）を示す状態値は「９」である。したがって、図２に示すように、状態推定テーブルにおいて、状態（Ａ、Ａ）を示すセルには、状態値「１」が格納されており、状態（Ｅ、Ｅ）を示すセルには、状態値「９」が格納されている。
【００４９】
また、本実施形態において、閾値は「５」である。したがって、選択部１０７によって推定された状態が、例えば、状態（Ａ、Ｂ）、状態（Ｂ、Ｃ）などの場合には、状態値が閾値を下回る（１〜４）ため、選択部１０７は、第１の音声信号＃５が表す音声をスピーカ１０９から出力しないことを選択する。同様に、選択部１０７によって推定された状態が、例えば、状態（Ｄ、Ｃ）、状態（Ｃ、Ｅ）などの場合には、状態値が閾値以上（５〜９）であるため、選択部１０７は、第１の音声信号＃５が表す音声をスピーカ１０９から出力することを選択する。
【００５０】
（推定部１２０の行う処理）
次に、携帯型情報端末１００の備える推定部１２０の行う処理の一例について、図３を参照しながら説明する。図３は、本実施形態に係る携帯型情報端末１００が、聴感レベルを推定する処理の具体例について説明するための概念図である。図３の（ａ）は、音声出力装置２００が出力する出力音の波形図、携帯型情報端末１００が音声出力装置２００から取得する第１の音声信号＃５が表す音声の波形図、及び携帯型情報端末１００のマイク１０４が検出した検出音をデジタル信号に変換した第２の音声信号＃７の波形図を示している。図３の（ｂ）は、携帯型情報端末１００の備える推定部１２０の構成を示す機能ブロック図である。
【００５１】
図３の（ａ）に示すように、携帯型情報端末１００が音声出力装置２００から取得する第１の音声信号＃５は、音声出力装置２００が出力する出力音に対して時間εだけ遅延している。この時間ε（以下、「遅延時間ε」と記載）は、音声出力装置２００から携帯型情報端末１００に第１の音声データ＃２を無線送信するために要する時間に相当する。したがって、遅延時間εは、携帯型情報端末１００と、音声出力装置２００との無線方式に応じて定まる値である。また、音声出力装置２００は、出力する音声信号の音量を音量設定情報＃３に基づいて変更し、音量を変更した音声信号が表す音声を出力する。したがって、図３の（ａ）に示すように、音声出力装置２００が出力する出力音の音声信号は、遅延のない第１の音声信号＃５に対して音量設定情報＃３を掛け合わせた音声信号である。また、携帯型情報端末１００の備えるマイク１０４が検出した検出音には、携帯型情報端末１００の周辺のノイズが含まれている。したがって、図３の（ａ）に示すように、第２の音声信号＃７には、ノイズが含まれている。また、音声出力装置２００が出力する出力音は、空間を伝播する間に減衰する。したがって、図３の（ａ）に示すように、第２の音声信号＃７に含まれる第１の音声信号＃５の音量は減衰している。
【００５２】
図３の（ｂ）に示すように、推定部１２０は、音量レベル修正部１２１、ディレイ修正部１２２、ノイズ除去処理部１２３、及び比較部１２４を備えている。推定部１２０の備える各部の機能を説明すれば、以下の通りである。
【００５３】
音量レベル修正部１２１は、音声信号の音量を修正するための手段（音量修正手段）である。本実施形態において、音量レベル修正部１２１は、音声デコード部１０３から供給される第１の音声信号＃５の音量を、通信部１０２から供給された音声出力装置２００の音量設定情報＃３に基づいて修正する。より具体的には、音量レベル修正部１２１は、第１の音声信号＃５に、音量設定情報＃３を掛け合わせることにより、音声デコード部１０３から供給された第１の音声信号＃５が、音声出力装置２００が出力する出力音を表す音声信号と同一の音声信号になるように修正する。音量レベル修正部１２１は、第１の音声信号＃５の音量を上記のように修正し、第３の音声信号＃２０を生成する。生成された第３の音声信号＃２０は、比較部１２４に供給される。
【００５４】
ディレイ修正部１２２は、第１の音声信号＃５と、第２の音声信号＃７との間の遅延時間を修正するための手段（ディレイ修正手段）である。より具体的には、ディレイ修正部１２２は、変換部１０５から供給された第２の音声信号＃７を時間εだけ遅延させるように修正する。したがって、ディレイ修正部１２２により修正された第２の音声信号＃２１と、第１の音声信号＃５とは、時間的に同期した（位相の揃った）信号になる。ディレイ修正部１２２により修正された第２の音声信号＃２１は、ノイズ除去処理部１２３に供給される。
【００５５】
ノイズ除去処理部１２３は、音声信号に含まれるノイズを除去するための手段（ノイズ除去手段）である。本実施形態においては、ノイズ除去処理部１２３は、ディレイ修正部１２２により修正された第２の音声信号＃２１に含まれるノイズを除去することにより、第４の音声信号＃２２を生成する。ノイズ除去処理部１２３により生成された第４の音声信号＃２２は、比較部１２４に供給される。なお、ノイズ除去処理部１２３が行うノイズ除去処理は、例えば、低域通過フィルタＬＰＦ（Low Path Filter）を用いることにより実現可能である。
【００５６】
比較部１２４は、第３の音声信号＃２０の音量と、第４の音声信号＃２２の音量との比を算出するための手段（算出手段）である。本実施形態においては、比較部１２４は、第３の音声信号＃２０と、第４の音声信号＃２２とを比較することにより、上述した聴感レベルを推定する。
【００５７】
例えば、比較部１２４は、第３の音声信号＃２０の瞬時振幅と、第４の音声信号＃２２の瞬時振幅との比を一定時間に亘って積分することによって、第３の音声信号＃２０が表す音声の音量と、第４の音声信号＃２２が表す音声の音量との音量比を算出することができる。
【００５８】
比較部１２４は、算出された音量比に応じて、聴感レベルを割り当てる。例えば、音量比が８０％以上、１００％以下の場合には聴感レベルを「Ａ」として割り当てる。同様に、音量比が６０％以上、８０％未満の場合には聴感レベルを「Ｂ」、音量比が４０％以上、６０％未満の場合には聴感レベルを「Ｃ」、音量比が２０％以上、６０％未満の場合には聴感レベルを「Ｄ」、音量比が０％以上、２０％未満の場合には聴感レベルを「Ｅ」として割り当てればよい。以上の手順により推定された聴感レベル＃８は、選択部１０７に通知される。
【００５９】
なお、音声出力装置２００から取得した第１の音声信号＃５が表す音声を携帯型情報端末１００が出力している場合における、推定部１２０の動作は、例えば、以下のようになる。
【００６０】
すなわち、この場合、マイク１０４が検出する検出音には、音声出力装置２００から出力される出力音と、ノイズとに加えて、携帯型情報端末１００が出力している第１の音声信号＃５が表す音声がさらに含まれている。このような場合においては、例えば、ノイズ除去処理部１２３において、変換部１０５から供給された第２の音声信号＃７に含まれるノイズを除去するとともに、第２の音声信号＃７のうち、携帯型情報端末１００が出力している音声である第１の音声信号＃５を除去するように構成すればよい。
【００６１】
（携帯型情報端末の具体的な動作）
次に、携帯型情報端末１００の動作例について、図４を参照しながら説明する。図４は、携帯型情報端末１００の動作例を示す概念図である。
【００６２】
図４に示す例においては、携帯型情報端末１００ａのユーザＡと、携帯型情報端末１００ｂのユーザＢとが、音声出力装置２００が出力する音声を聴取している。なお、図４に示す例においては、音声出力装置２００は、携帯型情報端末１００ａ及び１００ｂの各々と予めペアリングされているものとする。
【００６３】
図４に示す例において、破線で示した領域Ｒ１は、音声出力装置２００のスピーカ２０６ａ及び２０６ｂから出力される音声が届く範囲（可聴範囲）を示している。すなわち、音声出力装置２００の音量設定の変更に伴って、領域Ｒ１のサイズも変更され得る。また、図４に示す例において、実線で示したＲ２の領域は、音声出力装置２００から送信される電磁波が届く範囲、すなわち、携帯型情報端末１００と音声出力装置２００との通信が可能な範囲（以下、「通信可能範囲」とも記載）を示している。
【００６４】
図４に示す例において、ユーザＡは、領域Ｒ１及び領域Ｒ２に含まれる位置Ｐ１にて音声出力装置２００を視聴している。位置Ｐ１においては、音声出力装置２００から出力される音声が、ユーザＡに届いているため、携帯型情報端末１００ａの選択部１０７が推定する状態値は、閾値を越えることがない。したがって、携帯型情報端末１００ａは、音声出力装置２００から取得した音声を出力しない。
【００６５】
ここで、ユーザＡが、領域Ｒ１に含まれない位置であって、領域Ｒ２に含まれる位置Ｐ２に移動する場合を考える。上記の場合、携帯型情報端末１００ａの選択部１０７が推定する状態値は、閾値以上の値を示す。したがって、携帯型情報端末１００ａは、音声出力装置２００から取得した音声を出力する。また、携帯型情報端末１００ａは、音声出力装置２００から取得した音声を出力する際の音量を、第１の音声信号＃５と共に音声出力装置２００から取得した音量設定値Ｖ２、及び、選択部１０７から取得した出力音量値＃１１を参照して決定する。
【００６６】
また、ユーザＡが位置Ｐ２から位置Ｐ１に移動する場合を考える。上記の場合、携帯型情報端末１００ａの選択部１０７が推定する状態値は、再び閾値を下回る。したがって、携帯型情報端末１００ａは、音声出力装置２００から取得した音声を出力しない。
【００６７】
さらに、ユーザＡが領域Ｒ１及び領域Ｒ２の何れにも含まれない位置（すなわち、領域Ｒ２よりも外側の位置）に移動する場合を考える。上記の場合には、携帯型情報端末１００は、音声出力装置２００と連携して動作することができない。すなわち、携帯型情報端末１００は、音声出力装置２００から、第１の音声信号＃５を取得することができないため、音声の出力を停止する。
【００６８】
このように、本実施形態に係る携帯型情報端末１００は、音声出力装置２００と連携して動作することにより、例えば、携帯型情報端末１００のユーザの移動に伴う周辺環境の変化に応じて、音声出力装置２００が出力する音声と同一の音声を出力するか否かを選択することができる。また、携帯型情報端末１００は、音声出力装置２００から取得した音声を出力する際の音量を、第１の音声信号＃５と共に音声出力装置２００から取得した音量設定値Ｖ２、及び、選択部１０７から取得した出力音量値＃１１を参照して決定することができる。なお、図４に示す例においては、携帯型情報端末１００のユーザが音声出力装置２００から遠ざかるように移動する場合について説明したが、本発明はこれに限定されるものではない。例えば、音声出力装置２００と、携帯型情報端末１００との間に何らかの遮蔽物が存在しているような場合、または、領域Ｒ１において、携帯型情報端末１００の周辺に騒音が発生しているような場合においても適用可能である。
【００６９】
（携帯型情報端末の処理の流れ）
次に、本実施形態に係る携帯型情報端末１００の行う処理の流れについて図５を参照しながら説明する。図５は、本実施形態に係る携帯型情報端末１００が行う処理の流れを説明するためのフローチャートである。
【００７０】
まず、ステップＳ１０１において、携帯型情報端末１００は、音声出力装置２００との通信を開始する。携帯型情報端末１００は、音声出力装置２００が携帯型情報端末１００に予めペアリングされた音声出力装置であることを確認すると、次のステップに処理を進める。なお、以下のステップＳ１０２〜Ｓ１０５の処理は、並列的に処理することが好ましい。
【００７１】
ステップＳ１０２において、通信部１０２は、アンテナ１０１が受信した電磁波に基づいて、電波受信レベル＃４を決定する。決定された電波受信レベル＃４は、選択部１０７に通知される。
【００７２】
ステップＳ１０３において、通信部１０２は、アンテナ１０１から供給された受信信号＃１から、符号化された音声データであって、音声出力装置２００が出力する出力音を表す第１の音声データ＃２を抽出する。抽出された第１の音声データ＃２は、音声デコード部１０３に供給される。音声デコード部１０３は、通信部１０２より供給された第１の音声データ＃２から第１の音声信号＃５を復号する。復号された第１の音声信号＃５は、音声出力部１０８及び推定部１２０に供給される。
【００７３】
ステップＳ１０４において、通信部１０２は、通信部１０２は、アンテナ１０１から供給された受信信号＃１から、音声出力装置２００の音量設定情報＃３を抽出する。抽出された音量設定情報＃３は、推定部１２０に供給される。
【００７４】
ステップＳ１０５において、マイク１０４は、携帯型情報端末１００の周辺の音声を検出する。マイク１０４により検出された検出音を表すアナログ信号＃６は、変換部１０５に供給される。変換部１０５は、マイク１０４が検出した検出音を表すアナログ信号＃６をデジタル信号に変換することにより、第２の音声信号＃７を生成する。生成された第２の音声信号＃７は、推定部１２０に供給される。
【００７５】
続いて、ステップＳ１０６において、推定部１２０は、音声デコード部１０３から供給された第１の音声信号＃５と、通信部１０２から供給された音量設定情報＃３と、変換部１０５から供給された第２の音声信号＃７とに基づいて、マイク１０４が検出した検出音に含まれる出力音の聴感レベル＃８を推定する。推定部１２０により推定された聴感レベル＃８は、選択部１０７に通知される。
【００７６】
続いて、ステップＳ１０７において、選択部１０７は、推定部１２０から通知された聴感レベル＃８と、通信部１０２から通知された電波受信レベル＃４とに基づいて、メモリ１０６に格納されている状態推定テーブルを参照することにより携帯型情報端末１００の状態を示す状態値＃９を推定する。
【００７７】
続いて、ステップＳ１０８において、選択部１０７は、ステップＳ１０７にて推定された状態値＃９が、予め定められた閾値以上であるか否かを判定する。ステップＳ１０７にて推定された状態値＃９が、予め定められた閾値以上であると判定された場合（ステップＳ１０８にてＹＥＳ）、選択部１０７は、第１の音声信号＃５が表す音声を、スピーカ１０９から出力することを選択し、ステップＳ１０９に処理を進める。ステップＳ１０７にて推定された状態値＃９が、予め定められた閾値を下回ると判定された場合（ステップＳ１０８にてＮＯ）、選択部１０７は、第１の音声信号＃５が表す音声を、スピーカ１０９から出力しないことを選択し、ステップＳ１１０に処理を進める。
【００７８】
ステップＳ１０９において、選択部１０７は、音声出力部１０８に対して、第１の音声信号＃５が表す音声をスピーカ１０９から出力することを示す出力指示＃１０を送信する。また、選択部１０７は、表１に示した出力音量値テーブルを参照することによって、出力音量値＃１１を決定する。選択部１０７は、出力音量値テーブルを参照することによって決定した、状態値に対応する出力音量値＃１１を音声出力部１０８に送信する。音声出力部１０８は、スピーカ１０９から出力することを示す出力指示＃１０を、選択部１０７から受信すると、音声デコード部１０３から供給された第１の音声信号＃５をスピーカ１０９に入力する。この際、音声出力部１０８は、音声出力装置２００から取得した音量設定値Ｖ２に、選択部１０７から取得した出力音量値＃１１を加算したものを、スピーカ１０９から出力する音声の音量に設定する。スピーカ１０９は、音声出力部１０８から入力される第１の音声信号＃５に応じて、当該スピーカ１０９の備える振動板を振動させることにより、第１の音声信号＃５が表す音声を出力する。スピーカ１０９が第１の音声信号＃５が表す音声の出力を開始すると、携帯型情報端末１００は、ステップＳ１１０に処理を進める。
【００７９】
続いて、Ｓ１１０において、携帯型情報端末１００は、操作受付部１１０が、ユーザによる音量設定値Ｖ１の変更を示す操作＃１２を受け付けたか否かを判定する。操作受付部１１０が、ユーザによる音量設定値Ｖ１の変更を示す操作＃１２を受け付けたと判定された場合（ステップＳ１１０にてＹＥＳ）、操作受付部１１０は、音量設定値Ｖ１の変更を示す変更指示＃１３を音声出力部１０８及び更新部１１１に送信する。音声出力部１０８は、当該変更指示＃１３に基づいて、音声デコード部１０３から供給された第１の音声信号＃５の音量を変更する。音量を変更された第１の音声信号＃５は、スピーカ１０９に入力される。スピーカ１０９は、音声出力部１０８から入力される第１の音声信号＃５が表す音声を出力する。その後、携帯型情報端末１００は、ステップＳ１１１に処理を進める。また、操作受付部１１０が、ユーザによる音量設定値Ｖ１の変更を示す操作＃１２を受け付けていないと判定された場合（ステップＳ１１０にてＮＯ）、携帯型情報端末１００は、ステップＳ１２０に処理を進める。
【００８０】
ステップＳ１１１にて、更新部１１１は、操作受付部１１０から受信した変更指示＃１３に基づいて、メモリ１０６に格納されている状態推定テーブルにおける状態値を更新する。なお、ステップＳ１１１において、更新部１１１が行う処理の詳細については、参照する図面を代えて後述する。
【００８１】
続いて、ステップＳ１２０において、携帯型情報端末１００は、自装置が音声出力装置との通信可能範囲に位置しているか否かを判定する。自装置が音声出力装置との通信可能範囲に位置していると判定された場合（ステップＳ１２０にてＹＥＳ）、携帯型情報端末１００は、ステップＳ１０２〜Ｓ１０５の処理に戻る。自装置が音声出力装置との通信可能範囲に位置していないと判定された場合（ステップＳ１２０にてＮＯ）、携帯型情報端末１００は、スピーカ１０９からの第１の音声信号が表す音声の出力を停止するとともに、処理を終了する。
【００８２】
以上の手順により、本実施形態に係る携帯型情報端末１００は、携帯型情報端末１００の周辺環境の変化に応じて、音声出力装置２００が出力する音声と同一の音声を出力するか否かを選択することができる。
【００８３】
なお、本実施形態において、ステップＳ１０３及びステップＳ１０５にて第１の音声信号＃５及び第２の音声信号＃７をそれぞれ取得する構成としているが、取得する音声信号は、音声の取得を開始したある時刻ｔ０から、所定時間ｔ（ｔ＞０）経過した時刻ｔ１までの音声信号を指す。取得する音声信号は、連続した値を示す信号であり、比較部１２４において、２つの音声信号を比較するためには、任意の単位時間で区切った音声信号を用いる必要があるためである。上記の場合、通信部１０２は、アンテナ１０１が受信した受信信号から、時刻ｔ０から時刻ｔ１までの第１の音声データ＃２を抽出する。抽出された第１の音声データ＃２は、音声デコード部１０３に供給される。音声デコード部１０３は、通信部１０２から供給された時刻ｔ０から時刻ｔ１までの第１の音声データ＃２から第１の音声信号＃５を復号する。復号された第１の音声信号＃５であって、時刻ｔ０から時刻ｔ１までの第１の音声信号＃５は、図示しないバッファに格納される。同様に、マイク１０４は、携帯型情報端末１００の周辺の音声であって、時刻ｔ０から時刻ｔ１までの音声を検出する。マイク１０４により検出された検出音を表すアナログ信号＃６であって、時刻ｔ０から時刻ｔ１までのアナログ信号＃６は、変換部１０５に供給される。変換部１０５は、時刻ｔ０から時刻ｔ１までのアナログ信号＃６をデジタル信号に変換することにより、時刻ｔ０から時刻ｔ１までの第２の音声信号＃７を生成する。生成された時刻ｔ０から時刻ｔ１までの第２の音声信号＃７は、図示しないバッファに格納される。推定部１２０は、時刻ｔ０から時刻ｔ１までの第１の音声信号＃５、及び時刻ｔ０から時刻ｔ１までの第２の音声信号＃７をバッファから読み出す構成とすればよい。また、通信部１０２は、時刻ｔ０から時刻ｔ１までの第１の音声データ＃２を生成した後、続いて、時刻ｔ１から所定時間ｔ経過した時刻ｔ２までの第１の音声データ＃２を生成するように、所定時間ｔごとに区切られた音声データを生成し続ける構成とすることが好ましい。
【００８４】
（更新部１１１の行う処理）
以下では、本実施形態に係る携帯型情報端末１００の備える更新部１１１の行う処理の一例について図６を参照しながら説明する。図６は、本実施形態に係る携帯型情報端末１００が、図２に示す状態推定テーブルを更新する処理の一例について説明するための概念図である。図６の（ａ）は、携帯型情報端末が状態推定テーブルを更新する処理の流れを説明するためのフローチャートであって、図５に示したフローチャートにおけるステップＳ１１１における具体的な処理を示したフローチャートである。図６の（ｂ）は、図６の（ａ）に示した処理により更新された状態推定テーブルを示している。
【００８５】
図６に示す例において、更新部１１１は、携帯型情報端末１００の音量設定値Ｖ１を上げることを指示するユーザ操作＃１２に応えて、推定部１２０により推定された聴感レベル＃８と通信部１０２により決定された電波受信レベル＃４とに対応する状態値＃９を上げるように更新する。また、更新部１１１は、携帯型情報端末１００の音量設定値Ｖ１を下げることを示すユーザ操作＃１２に応えて、推定部１２０により推定された聴感レベル＃８と、上記取得部により決定された電波受信レベル＃４とに対応する状態値＃９を下げるように更新する。
【００８６】
図６の（ａ）に示すように、ステップＳ１１２において、更新部１１１は、ステップＳ１１０にて操作受付部１１０から送信された変更指示＃１３が、音量設定値Ｖ１を上げることを示す指示であるか否かを判定する。ステップＳ１１０にて操作受付部１１０から送信された変更指示＃１３が、音量設定値Ｖ１を上げることを示す指示であると判定された場合（ステップＳ１１２にてＹＥＳ）、更新部１１１は、ステップＳ１１３の処理に進む。また、ステップＳ１１０にて操作受付部１１０から受信した変更指示＃１３が、音量設定値Ｖ１を上げることを示す指示ではないと判定された場合（ステップＳ１１２にてＮＯ）、更新部１１１は、ステップＳ１１４の処理に進む。
【００８７】
ステップＳ１１３において、更新部１１１は、操作受付部１１０から受信した変更指示＃１３に基づいて、メモリ１０６に格納されている状態推定テーブルにおける該当セルに格納されている状態値を「＋１」するように、状態推定テーブルを更新する。ここで、「該当セル」とは、図５に示すステップＳ１０２にて決定された電波受信レベル＃４と、ステップＳ１０６にて推定された聴感レベル＃８とに応じて定められた状態を示すセルのことを指す。より具体的には、ステップＳ１０２にて決定された電波受信レベルが「Ｂ」であり、ステップＳ１０６にて推定された聴感レベルが「Ｃ」である場合に、状態（Ｂ、Ｃ）を示すセルである。したがって、図６の（ｂ）に示す状態推定テーブルにおいては、状態（Ｂ、Ｃ）を示すセル（図６の（ｂ）において破線の枠囲みにて示すセル）に格納されている状態値は、「４」から「５」に更新されている。また、ステップＳ１１３にて更新された該当セルに格納されている状態値は、予め定められた閾値以上であるため、状態（Ｂ、Ｃ）を示すセルは、図６の（ｂ）において、ドットハッチが解除されている。更新部１１１は、状態推定テーブルを更新すると、ステップＳ１１４の処理に進む。
【００８８】
続いて、ステップＳ１１４において、更新部１１１は、ステップＳ１１０にて操作受付部１１０から送信された変更指示＃１３が、音量設定値Ｖ１を下げることを示す指示であるか否かを判定する。ステップＳ１１０にて操作受付部１１０から送信された変更指示＃１３が、音量設定値Ｖ１を下げることを示す指示であると判定された場合（ステップＳ１１４にてＹＥＳ）、更新部１１１は、ステップＳ１１５の処理に進む。また、ステップＳ１１０にて操作受付部１１０から受信した変更指示＃１３が、音量設定値Ｖ１を下げることを示す指示ではないと判定された場合（ステップＳ１１４にてＮＯ）、更新部１１１は、状態推定テーブルの更新処理を終了する。
【００８９】
ステップＳ１１５において、更新部１１１は、操作受付部１１０から受信した変更指示＃１３に基づいて、メモリ１０６に格納されている状態推定テーブルにおける該当セルに格納されている状態値を「−１」するように、状態推定テーブルを更新する。例えば、ステップＳ１０２にて決定された電波受信レベルが「Ｄ」であり、ステップＳ１０６にて推定された聴感レベルが「Ｂ」である場合に、更新部１１１は、状態（Ｄ、Ｂ）を示すセルに格納されている状態値を「−１」するように、状態推定テーブルを更新する。したがって、図６の（ｂ）に示す状態推定テーブルにおいては、状態（Ｄ、Ｂ）を示すセル（図６の（ｂ）において一点鎖線の枠囲みにて示すセル）に格納されている状態値は、「５」から「４」に更新されている。また、ステップＳ１１５にて更新された該当セルに格納されている状態値は、予め定められた閾値を下回るため、状態（Ｄ、Ｂ）を示すセルは、図６の（ｂ）において、ドットハッチで示されている。ステップＳ１１５の処理が完了すると、更新部１１１は、状態推定テーブルの更新処理を終了する。
【００９０】
上記の手順により、更新部１１１は、メモリ１０６に格納されている状態推定テーブルを更新することができる。
【００９１】
したがって、上記の構成によれば、本実施形態に係る携帯型情報端末１００は、ユーザの所望の音量設定値Ｖ１に応じて、状態推定テーブルにおける状態値を個別に更新することができる。換言すれば、ユーザは、音量設定値Ｖ１を変更することにより、携帯型情報端末１００のメモリ１０６に予め格納された（装置にプリセットされた）状態推定テーブルにおける状態値を、変更した音量設定値Ｖ１に応じて更新することができる。したがって、本実施形態に係る携帯型情報端末１００は、ユーザに対して違和感を与えることなく、音声出力装置が出力する音声と同一の音声を出力することができる。
【００９２】
なお、図６の（ａ）に示すフローチャートにおけるステップＳ１１２〜ステップＳ１１３の処理と、ステップＳ１１４〜ステップＳ１１５の処理の手順を入れ替えることも可能である。また、本実施形態において、更新部１１１は、メモリ１０６に格納されている状態推定テーブルにおける該当セルに格納されている状態値を、「＋１」、または「−１」するように更新する構成としたが、これは本発明を限定するものではない。例えば、更新部１１１は、操作受付部１１０が受け付けた操作＃１２の音量設定値Ｖ１の変更量に応じて、該当セルに格納されている状態値を、「＋２」、または「−２」するように構成してもよい。
【００９３】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００９４】
本実施形態に係る携帯型情報端末１００は、更新部１１１が行う処理において、実施形態１に係る携帯型情報端末１００と異なる。
【００９５】
本実施形態に係る携帯型情報端末１００の備える更新部１１１の行う処理の一例について図７を参照しながら説明する。図７は、本実施形態に係る携帯型情報端末１００の備える更新部１１１が行う処理の一例について説明するための概念図である。図７の（ａ）は、更新部１１１が行う処理の流れを説明するためのフローチャートである。図７の（ｂ）は、図７の（ａ）に示した処理が行われた後の状態推定テーブルを示している。
【００９６】
図７に示す例において、更新部１１１は、携帯型情報端末１００の音量設定値Ｖ１を上げることを示すユーザ操作＃１２に応えて、予め定められた閾値を上げるように更新し、携帯型情報端末１００の音量設定値Ｖ１を下げることを示すユーザ操作＃１２に応えて、予め定められた閾値を下げるように更新する。また、更新部１１１は、予め定められた閾値の更新に応じて、メモリ１０６に格納されている出力音量値テーブルを更新する構成としてもよい。より具体的には、例えば、更新部１１１は、閾値を「４」から「５」に更新した場合には、出力音量値テーブルにおいて、状態値「１」〜「５」に対応付けられた出力音量値を「０」に設定し、状態値「６」、「７」、「８」、及び「９」に対応付けられた出力音量値を、それぞれ「１」、「２」、「３」、及び「４」に設定する。また、更新部１１１は、閾値を「４」から「３」に更新した場合には、出力音量値テーブルにおいて、状態値「１」〜「３」に対応付けられた出力音量値を「０」に設定し、状態値「４」、「５」、「６」、「７」、「８」、及び「９」に対応付けられた出力音量値を、それぞれ「１」、「２」、「３」、、「４」、「５」、「６」に設定する。
【００９７】
図７の（ａ）に示すように、ステップＳ１１２において、更新部１１１は、ステップＳ１１０にて操作受付部１１０から送信された変更指示＃１３が、音量設定値Ｖ１を上げることを示す指示であるか否かを判定する。ステップＳ１１０にて操作受付部１１０から送信された変更指示＃１３が、音量設定値Ｖ１を上げることを示す指示であると判定された場合（ステップＳ１１２にてＹＥＳ）、更新部１１１は、ステップＳ１１６の処理に進む。また、ステップＳ１１０にて操作受付部１１０から受信した変更指示＃１３が、音量設定値Ｖ１を上げることを示す指示ではないと判定された場合（ステップＳ１１２にてＮＯ）、更新部１１１は、ステップＳ１１４の処理に進む。
【００９８】
ステップＳ１１６において、更新部１１１は、操作受付部１１０から受信した変更指示＃１３に基づいて、メモリ１０６に格納されている閾値を「＋１」するように更新する。図７の（ｂ）において、閾値（一点鎖線の枠囲みにて示す）は、「５」から「６」に更新されている。また、ステップＳ１１５にて閾値が「６」に更新されたため、状態値「５」が格納されているセル（状態（Ｅ、Ａ）、状態（Ｄ、Ｂ）、状態（Ｃ、Ｃ）、状態（Ｂ、Ｄ）、及び状態（Ａ、Ｅ）の各々を示すセル、図７の（ｂ）において破線の枠囲みにて示す）は、当該閾値を下回っていることを示すように、ドットハッチで示されている。更新部１１１は、閾値を更新すると、ステップＳ１１４の処理に進む。
【００９９】
続いて、ステップＳ１１４において、更新部１１１は、ステップＳ１１０にて操作受付部１１０から送信された変更指示＃１３が、音量設定値Ｖ１を下げることを示す指示であるか否かを判定する。ステップＳ１１０にて操作受付部１１０から送信された変更指示＃１３が、音量設定値Ｖ１を下げることを示す指示であると判定された場合（ステップＳ１１４にてＹＥＳ）、更新部１１１は、ステップＳ１１７の処理に進む。また、ステップＳ１１０にて操作受付部１１０から受信した変更指示＃１３が、音量設定値Ｖ１を下げることを示す指示ではないと判定された場合（ステップＳ１１４にてＮＯ）、更新部１１１は、状態推定テーブルの更新処理を終了する。
【０１００】
ステップＳ１１７において、更新部１１１は、操作受付部１１０から受信した変更指示＃１３に基づいて、メモリ１０６に格納されている閾値を「−１」するように更新する。ステップＳ１１７にて閾値が「５」に更新されたため、状態値「５」が格納されているセル（状態（Ｅ、Ａ）、状態（Ｄ、Ｂ）、状態（Ｃ、Ｃ）、状態（Ｂ、Ｄ）、及び状態（Ａ、Ｅ）の各々を示すセル、図７の（ｂ）において破線の枠囲みにて示す）は、当該閾値以上の値を示す。したがって、メモリ１０６に格納されている状態推定テーブルは、図７の（ｂ）に示す状態推定テーブルから図２に示す状態推定テーブルに遷移する。ステップＳ１１５の処理が完了すると、更新部１１１は、状態推定テーブルの更新処理を終了する。
【０１０１】
上記の手順により、更新部１１１は、メモリ１０６に格納されている閾値を更新することができる。
【０１０２】
したがって、上記の構成によれば、本実施形態に係る携帯型情報端末１００は、ユーザの所望の音量設定値Ｖ１に応じて、予め定められた閾値を更新することができる。換言すれば、ユーザは、音量設定値Ｖ１を変更することにより、携帯型情報端末１００において予め定められた（装置にプリセットされた）閾値を、変更した音量設定値Ｖ１に応じて更新することができる。したがって、携帯型情報端末１００は、ユーザに対して違和感を与えることなく、音声出力装置が出力する音声と同一の音声を出力することができる。
【０１０３】
なお、図７の（ａ）に示すフローチャートにおけるステップＳ１１２〜ステップＳ１１６の処理と、ステップＳ１１４〜ステップＳ１１７の処理の手順を入れ替えることも可能である。また、本実施形態において、更新部１１１は、メモリ１０６に格納されている閾値であって、状態推定テーブルに関連付けられている閾値を、「＋１」、または「−１」するように更新する構成としたが、これは本発明を限定するものではない。例えば、更新部１１１は、操作受付部１１０が受け付けた操作＃１２の音量設定値Ｖ１の変更量に応じて、当該閾値を、「＋２」、または「−２」するように構成してもよい。
【０１０４】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【０１０５】
本実施形態に係る携帯型情報端末１００は、選択部１０７が行う処理において、他の実施形態に係る携帯型情報端末１００と異なる。
【０１０６】
本実施形態において、選択部１０７は、通信部１０２から供給される電波受信レベル＃４を用いることなく、推定部１２０から供給される聴感レベル＃８のみに基づいて、携帯型情報端末１００の状態を推定する構成を採用している。
【０１０７】
したがって、本実施形態において、メモリ１０６に格納されている状態推定テーブルは、聴感レベルの値Ａ〜Ｅの各々に特定の状態値を対応付けたテーブルである。すなわち、聴感レベル（Ａ〜Ｅ）の各々に、状態値（１〜５）が対応付けられている。本実施形態において、閾値は、例えば「３」に設定されている。
【０１０８】
本実施形態において、推定部１２０によって推定された聴感レベル＃８が、「Ａ」、または「Ｂ」である場合には、対応付けられた状態値が閾値を下回る（１〜２）ため、選択部１０７は、第１の音声信号＃５が表す音声をスピーカ１０９から出力しないことを選択する。同様に、推定部１２０によって推定された聴感レベル＃８が、「Ｃ」、「Ｄ」、または「Ｅ」である場合には、対応付けられた状態値が閾値以上である（３〜５）ため、選択部１０７は、第１の音声信号＃５が表す音声をスピーカ１０９から出力することを選択する。また、選択部１０７は、表１に示すような出力音量値テーブルを参照することによって、出力音量値＃１１を決定する。
【０１０９】
上記の構成により、本実施形態に係る携帯型情報端末１００は、推定部１２０により推定した聴感レベル＃８のみに基づいて携帯型情報端末１００の状態を推定することができる。
【０１１０】
したがって、上記の構成によれば、本実施形態に係る携帯型情報端末１００は、自端末の周辺環境に応じて、音声出力装置２００が出力する音声と同一の音声を出力する際の音量を選択することができる。
【０１１１】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【０１１２】
本実施形態に係る携帯型情報端末１００は、推定部１２０が行う処理において、他の実施形態に係る携帯型情報端末１００と異なる。
【０１１３】
本実施形態に係る携帯型情報端末１００において、推定部１２０は、相互相関関数を用いて第１の音声信号＃５と、第２の音声信号＃７との類似度を算出する算出手段として機能し、算出された類似度に基づいて、検出音に含まれる出力音の聴感レベルを推定する。
【０１１４】
具体的には、推定部１２０は、相互相関関数を用いることにより、音声デコード部１０３から供給された第１の音声信号＃５と、変換部１０５から供給された第２の音声信号＃７との類似度を算出する。
【０１１５】
例えば、算出された類似度が１００％である場合は、音声出力装置２００が出力する出力音と、携帯型情報端末１００のマイク１０４が検出する検出音とが一致している場合である。すなわち、音声出力装置２００が出力する出力音が、携帯型情報端末１００のユーザに十分に届いている状態であると推定することができる。また、例えば、算出された類似度が０％である場合は、音声出力装置２００が出力する出力音と、携帯型情報端末１００のマイク１０４が検出する検出音とが一致してない場合である。すなわち、音声出力装置２００が出力する出力音が、携帯型情報端末１００のユーザに届いていない状態である推定することができる。場合を示している。さらに、例えば、算出された類似度が５０％である場合は、音声出力装置２００が出力する出力音と、携帯型情報端末１００のマイク１０４が検出する検出音とが、一部一致している場合である。すなわち、音声出力装置２００が出力する出力音が、携帯型情報端末１００のユーザに届いているが、当該出力音の音量が減衰している状態であると推定することができる。
【０１１６】
推定部１２０は、算出された類似度に応じて、聴感レベルを割り当てる。例えば、類似度が８０％以上、１００％以下の場合には聴感レベルを「Ａ」として割り当てる。同様に、類似度が６０％以上、８０％未満の場合には聴感レベルを「Ｂ」、類似度が４０％以上、６０％未満の場合には聴感レベルを「Ｃ」、類似度が２０％以上、６０％未満の場合には聴感レベルを「Ｄ」、類似度が０％以上、２０％未満の場合には聴感レベルを「Ｅ」として割り当てればよい。
【０１１７】
上記の構成により、推定部１２０は、第１の音声信号＃５と、第２の音声信号＃７との類似度に応じて、聴感レベル＃８を推定することができる。
【０１１８】
したがって、上記の構成によれば、本実施形態に係る携帯型情報端末１００は、検出音に含まれる出力音の聴感レベルを、より正確に推定することができる。
【０１１９】
〔ソフトウェアによる実現例〕
携帯型情報端末１００の制御ブロック（特に選択部１０７および推定部１２０）は、集積回路（ＩＣチップ）等に形成された論理回路（ハードウェア）によって実現してもよいし、ＣＰＵ（Central Processing Unit）を用いてソフトウェアによって実現してもよい。
【０１２０】
後者の場合、携帯型情報端末１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２１】
〔まとめ〕
本発明の態様１に係る携帯型情報端末１００は、音声出力装置２００と連携して動作する携帯型情報端末であって、上記音声出力装置が出力する出力音を表す第１の音声信号（第１の音声信号＃５）を上記音声出力装置から取得する取得手段（アンテナ１０１、通信部１０２、音声デコード部１０３）と、上記第１の音声信号と、当該携帯型情報端末に内蔵又は接続されたマイク（マイク１０４）が検出した検出音を表す第２の音声信号（第２の音声信号＃７）とに基づいて、上記音声出力装置が出力する上記出力音の音量に対する、上記検出音に含まれる上記出力音の音量の比である音量比（聴感レベル＃８）を推定する推定手段（推定部１２０）と、上記推定手段により推定された音量比に基づいて、当該携帯型情報端末に内蔵又は接続されたスピーカ（スピーカ１０９）から出力する上記第１の音声信号が表す音声の音量を選択する選択手段（選択部１０８）と、を備えている。
【０１２２】
上記の構成によれば、携帯型情報端末１００は、音声出力装置２００が出力する出力音の音量に対する、マイク１０４が検出した検出音に含まれる出力音の音量の比である音量比を示す聴感レベルを推定する。すなわち、携帯型情報端末１００は、自端末の現在地における聴感レベルを推定し、推定した聴感レベルに基づいて、音声出力装置から取得した音声の音量をを選択することができる。
【０１２３】
したがって、上記の構成によれば、音声出力装置の音声出力機能を携帯型情報端末によって補完することができる。特に、音声出力装置が出力した音声と同じ音声を携帯型情報端末から出力する際の音量を、上記音量比に基づいて選択する構成を採用しているので、音声出力装置の近傍にいるユーザに提供される音声の音量が過大になるといった事態を招来することなく、音声出力装置の遠方にいるユーザに提供される音声を丁度良い音量にすることができる。
【０１２４】
本発明の態様２に係る携帯型情報端末１００は、上記態様１において、上記取得手段は、上記音声出力装置から上記第１の音声信号を含む電磁波を受信することにより上記第１の音声信号を取得するとともに、受信した電磁波の強度を示す電波受信レベル（電波受信レベル＃４）を決定し、上記選択手段は、上記推定手段により推定された音量比に加えて、上記取得手段により決定された電波受信レベルを参照することにより、上記スピーカから出力する上記第１の音声信号が表す音声の音量を選択する、ことが好ましい。
【０１２５】
上記の構成によれば、携帯型情報端末１００は、音声出力装置２００から第１の音声信号を取得する際に受信した電磁波の強度を示す電波受信レベルを決定する。また、携帯型情報端末１００は、推定部１２０により推定された聴感レベルと、通信部１０２により決定された電波受信レベルとに基づいて、音声出力装置から取得した音声の音量を選択することができる。
【０１２６】
したがって、上記の構成によれば、携帯型情報端末は、当該携帯型情報端末の周辺環境をより正確に推定することができるので、音声出力装置の音声出力機能を携帯型情報端末によって補完することができる。
【０１２７】
本発明の態様３に係る携帯型情報端末１００は、上記態様１又は２において、上記取得手段は、上記第１の音声信号に加えて、上記音声出力装置における音量設定値Ｖ２を取得するものであり、上記推定手段は、上記第１の音声信号が表す音声の音量を、上記音量設定値に基づいて修正する音量修正手段（音量レベル修正部１２１）と、上記第２の音声信号を遅延させることによって、上記第１の音声信号の上記第２の音声信号に対する遅延を解消するディレイ修正手段（ディレイ修正部１２２）と、上記第２の音声信号に含まれるノイズを除去するノイズ除去手段（ノイズ除去処理部１２３）と、音量レベルを修正された第１の音声信号の音量と、ディレイ修正及びノイズ除去された第２の音声信号の音量との比を算出する算出手段（比較部１２４）とを備えている、、ことが好ましい。
【０１２８】
上記の構成によれば、音量レベルを修正された第１の音声信号＃２０の位相と、ディレイ修正及びノイズ除去された第２の音声信号＃２２の位相とを同期させることができる。比較部１２４は、音量レベルを修正された第１の音声信号＃２０の音量と、ディレイ修正及びノイズ除去された第２の音声信号＃２２の音量との比を算出する。推定部１２０は、比較部１２４による算出結果に基づいて、上記検出音に含まれる上記出力音の聴感レベル＃８を推定することができる。
【０１２９】
したがって、上記の構成によれば、検出音に含まれる出力音の聴感レベルをより正確に推定することができる。
【０１３０】
本発明の態様４に係る携帯型情報端末１００は、上記態様２または３において、上記選択手段は、音量比の値と電波受信レベルの値とからなる対の各々に特定の状態値を対応付けた状態推定テーブルを参照し、上記推定手段により推定された音量比と、上記取得手段により決定された電波受信レベルとからなる対に対応する状態値（状態値＃９）を特定すると共に、上記スピーカから出力する上記第１の音声信号が表す音声の音量として、推定した状態値に応じた音量を選択する、ことが好ましい。
【０１３１】
上記の構成によれば、携帯型情報端末１００は、当該携帯型情報端末の周辺環境をより正確に推定することができるので、音声出力装置の音声出力機能を携帯型情報端末によって補完することができる。
【０１３２】
本発明の態様５に係る携帯型情報端末１００は、上記態様４において、上記スピーカから出力する音声の音量設定値Ｖ１を変更することを指示するユーザ操作に応えて、上記状態推定テーブルにおける状態値、または上記予め定められた閾値の少なくとも何れかを更新する更新手段（更新部１１１）をさらに備えている、ことが好ましい。
【０１３３】
上記の構成によれば、ユーザの所望の音量設定値Ｖ１に応じて、状態推定テーブルにおける状態値、または予め定められた閾値を更新することができるので、ユーザに対して違和感を与えることなく、音声出力装置の音声出力機能を携帯型情報端末によって補完することができる。
【０１３４】
本発明の態様６に係る携帯型情報端末１００は、上記態様５において、上記更新手段は、上記スピーカから出力する音声の音量設定値Ｖ１を上げることを指示するユーザ操作に応えて、上記状態推定テーブルの状態値をより大きな値に更新し、上記スピーカから出力する音声の音量設定値Ｖ１を下げることを指示するユーザ操作に応えて、上記状態推定テーブルの状態値をより小さな値に更新する、ことが好ましい。
【０１３５】
上記の構成によれば、ユーザの所望の音量設定値Ｖ１に応じて、状態推定テーブルにおける状態値を個別に更新することができる。換言すれば、ユーザは、音量設定値Ｖ１を変更することにより、携帯型情報端末１００のメモリ１０６に予め格納された（装置にプリセットされた）状態推定テーブルにおける状態値を、変更した音量設定値Ｖ１に応じて更新することができる。
【０１３６】
したがって、上記の構成によれば、携帯型情報端末１００は、ユーザに対して違和感を与えることなく、音声出力装置の音声出力機能を携帯型情報端末によって補完することができる。
【０１３７】
本発明の態様７に係る携帯型情報端末１００は、上記態様５において、上記更新手段は、上記スピーカから出力する音声の音量設定値Ｖ１を上げることを指示するユーザ操作に応えて上記予め定められた閾値をより大きな値に更新し、上記スピーカから出力する音声の音量設定値Ｖ１を下げることを指示するユーザ操作に応えて上記予め定められた閾値をより小さな値に更新する、構成としてもよい。
【０１３８】
上記の構成によれば、ユーザの所望の音量設定値Ｖ１に応じて、予め定められた閾値を更新することができる。換言すれば、ユーザは、音量設定値Ｖ１を変更することにより、携帯型情報端末１００において予め定められた（装置にプリセットされた）閾値を、変更した音量設定値Ｖ１に応じて更新することができる。
【０１３９】
したがって、携帯型情報端末１００は、ユーザに対して違和感を与えることなく、音声出力装置の音声出力機能を携帯型情報端末によって補完することができる。
【０１４０】
本発明の態様８に係る携帯型情報端末１００は、上記態様１〜７において、上記選択手段は、上記推定手段により推定された音量比に基づいて、上記第１の音声信号が表す音声を上記スピーカから出力する否かを選択する、ことが好ましい。
【０１４１】
上記の構成によれば、音声出力装置の音声出力機能を携帯型情報端末によって補完することができる。特に、音声出力装置が出力した音声と同じ音声を携帯型情報端末から出力するか否かを上記音量比に基づいて選択する構成を採用しているので、音声出力装置の近傍にいるユーザに提供される音声の音量が過大になるといった事態を招来することなく、音声出力装置の遠方にいるユーザに提供される音声を丁度良い音量にすることができる。
【０１４２】
本発明の態様９に係る携帯型情報端末１００は、音声出力装置２００と連携して動作する携帯型情報端末であって、上記音声出力装置が出力する出力音を表す第１の音声信号（第１の音声信号＃５）を上記音声出力装置から取得する取得手段（アンテナ１０１、通信部１０２、音声デコード部１０３）と、上記第１の音声信号と、当該携帯型情報端末に内蔵又は接続されたマイク（マイク１０４）が検出した検出音を表す第２の音声信号（第２の音声信号＃７）との相関を算出する算出手段（推定部１２０）と、上記算出手段により算出された相関に基づいて、当該携帯型情報端末に内蔵又は接続されたスピーカから出力する上記第１の音声信号が表す音声の音量を選択する選択手段（選択部１０７）と、を備えている。
【０１４３】
上記の構成によれば、推定部１２０は、第１の音声信号＃５と、第２の音声信号＃７との相関に応じて、聴感レベル＃８を推定することができる。
【０１４４】
したがって、上記の構成によれば、検出音に含まれる出力音の聴感レベルをより正確に推定することができる。
【０１４５】
本発明の態様１０に係る携帯型情報端末の制御方法は、音声出力装置と連携して動作する携帯型情報端末の制御方法であって、上記音声出力装置が出力する出力音を表す第１の音声信号を上記音声出力装置から取得する取得ステップと、上記第１の音声信号と、当該携帯型情報端末に内蔵又は接続されたマイクが検出した検出音を表す第２の音声信号とに基づいて、上記音声出力装置が出力する上記出力音の音量に対する、上記検出音に含まれる上記出力音の音量の比である音量比を推定する推定ステップと、上記推定ステップにて推定された音量比に基づいて、当該携帯型情報端末に内蔵又は接続されたスピーカから出力する上記第１の音声信号が表す音声の音量を選択する選択ステップと、を含んでいる。
【０１４６】
上記の構成によれば、上記の携帯型情報端末と同様の効果を奏する。
【０１４７】
本発明の態様１１に係る携帯型情報端末の制御方法は、音声出力装置と連携して動作する携帯型情報端末の制御方法であって、上記音声出力装置が出力する出力音を表す第１の音声信号を上記音声出力装置から取得する取得ステップと、上記第１の音声信号と、当該携帯型情報端末に内蔵又は接続されたマイクが検出した検出音を表す第２の音声信号との相関を算出する算出ステップと、上記算出ステップにて算出された相関に基づいて、当該携帯型情報端末に内蔵又は接続されたスピーカから出力する上記第１の音声信号が表す音声の音量を選択する選択ステップと、を含んでいる。
【０１４８】
上記の構成によれば、上記の携帯型情報端末と同様の効果を奏する。
【０１４９】
本発明の各態様に係る携帯型情報端末は、コンピュータによって実現してもよく、この場合には、コンピュータを上記携帯型情報端末が備える各手段として動作させることにより上記携帯型情報端末をコンピュータにて実現させる携帯型情報端末の制御プログラム、およびそれを記録したコンピュータ読み取り可能な記録媒体も、本発明の範疇に入る。
【０１５０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５１】
本発明は、音声出力装置と連携して動作する携帯型情報端末に好適に利用することができる。
【符号の説明】
【０１５２】
１００      携帯型情報端末
１０１        アンテナ（取得手段）
１０２        通信部（取得手段）
１０３        音声デコード部（取得手段）
１０４        マイク
１０５        変換部
１０６        メモリ
１０７        選択部（選択手段）
１０８        音声出力部
１０９        スピーカ
１１０        操作受付部
１１１        更新部（更新手段）
１２０        推定部（推定手段、算出手段）
１２１          音量レベル修正部（音量修正手段）
１２２          ディレイ修正部（ディレイ修正手段）
１２３          ノイズ除去処理部（ノイズ除去処理手段）
１２４          比較部（算出手段）
２００      音声出力装置
２０１        アンテナ
２０２        チューナ部
２０３        外部入力部
２０４        音声符号化部
２０５        音声出力部
２０６        スピーカ
２０７        通信部
２０８        アンテナ
２０９        メモリ
２１０        操作受付部
【図１】
2015082740.tif 000004
【図２】
2015082740.tif 000005
【図３】
2015082740.tif 000006
【図４】
2015082740.tif 000007
【図５】
2015082740.tif 000008
【図６】
2015082740.tif 000009
【図７】
2015082740.tif 000010